(57)【特許請求の範囲】
【請求項１】
左右の鏡筒の接眼側端部に接眼枠が設けられ、この接眼枠に筒状の固定筒枠が設けられ、この固定筒枠の外壁面にカムピンを突設するとともに、固定筒枠の外壁面に円周方向にリング状を呈する凹状の円周段溝を刻設し、
この円周段溝に、円周方向の一部が切除された略リング状の掛り止めワイヤーを固定筒枠の外壁面よりもわずかに突出する状態で収納し、
前記固定筒枠の外側面に、回転自在かつ光軸方向にスライド自在になるように目当て環を配設し、この目当て環の胴部にはガイド溝孔を貫通状に穿設し、このガイド溝孔内に前記カムピンの頭部を嵌め込み、さらに目当て環の内壁面にリング状を呈する円周溝を刻設し、
前記目当て環を光軸を中心にして回転させた際に、前記カムピンとガイド溝孔との案内により、目当て環が光軸方向にスライド移動して、前記掛り止めワイヤーと前記円周溝との対応位置が光軸方向に段階的に変化するように前記ガイド溝孔が形成されていることを特徴とする双眼鏡の目当て機構。
【発明の詳細な説明】
【技術分野】
【０００１】
本発明は、左右の鏡筒（ボディ）の接眼部側に目当て環を備えた双眼鏡の目当て機構に関する。
【背景技術】
【０００２】
双眼鏡には、一般に左右の鏡筒（ボディ）の接眼部に目当て機構が設けられている。この目当て機構は、環状の目当て環からなり、この目当て環を接眼レンズから離れる方向に、すなわち使用者（観測者）の手前側方向に突出可能になるように構成されている。
使用者が双眼鏡を覗く際には、この目当て環を接眼レンズから離れる方向に突出させて、使用者の目の周囲に目当て環を接触させて、接眼レンズと使用者の目との間隔を良好に保てるように調整している。
【０００３】
ここで、使用者が眼鏡を使用している場合には、目当て環の端縁が眼鏡に接触して接眼レンズと使用者の目との間隔が離れ過ぎの状態になってしまう。
このため、操作により目当て環を回転させて、光軸を中心にスライド移動させて、接眼レンズに近づく方向や、接眼レンズから離れる方向に自由に移動可能になるように構成している（例えば、特許文献１参照）。
【特許文献１】特開２０００−３７９９号公報
【０００４】
特許文献１の双眼鏡の目当て機構によれば、左右の鏡筒の接眼側端部に接眼枠を備え、この接眼枠にカムピンを設け、このカムピンを目当て環のガイド溝孔に差し込み、目当て環を回転させた際に、カムピンとガイド溝孔の案内で目当て環を光軸方向にスライドさせ、最大繰り出し位置（すなわち、目当て環が接眼レンズから最も離れる位置）と、最大引き込み位置（すなわち、目当て環が接眼レンズに最も近づく位置）とに静止（固定）できるようにしている。
【発明の開示】
【発明が解決しようとする課題】
【０００５】
しかし、特許文献１の双眼鏡の目当て機構によれば、この目当て環を接眼レンズから最も離れる位置と、接眼レンズに最も近づく位置との２個所のみでしか静止（固定）できなかった。
しかしながら、実際の現場では目当て環を接眼レンズから最も離れる位置と、接眼レンズに最も近づく位置と、さらにその中間の位置でも静止（固定）させて使用したいという要請もあった。
【０００６】
もちろん、中間の位置に目当て環を仮に静止させおくことは可能であるが、その状態で双眼鏡を使用した場合には、使用者の顔や眼鏡が目当て環に接触したりして、目当て環が押されてしまい、不用意に目当て環は接眼レンズに近づく方向に移動してしまい、不安定な状態となる。
このため、使用者の状況に合わせた好みの位置に、確実に目当て環を配置することが難しく、この観点から改良の余地が残されていた。
【０００７】
又出願人の未公開の先願に係る発明（特願２００４−１３０８８０）の目当て機構によれば、左右鏡筒の接眼側端部には接眼枠が備えられ、この接眼枠にカムピンが設けられ、目当て環の胴部に直線状でかつ途中を多段状に形成したガイド溝孔を穿設し、このガイド溝孔にカムピンを差し込み、前記目当て環を回転させることによりカムピンを光軸方向にスライドさせることで、目当て環を接眼レンズより最も繰り出した位置と、最も引き込まれた位置と、その中間位置のそれぞれに静止（固定）できるようにしている。
【０００８】
しかし出願人の前記発明に係る目当て機構によると、目当て環を回転させながらカムピンを光軸方向にスライドさせるためにガイド溝孔が形成されているが、このガイド溝孔は単調なストレート形状の溝ではなく、途中に複数箇所の切り替わりとなる屈曲した段部が形成されているので、目当て環の作製上、機械加工の刃物に複雑な運動指示を与えかつ過負荷をかけることになり、そのため製作コストが高くなり、又目当て環の胴部に刻設される複数（３箇所）の同形状のガイド溝孔は、高精度の溝カーブ位置の形成が求められることになる。このため良品率が低下し、精度の低い製品の場合には、各種摺動部品を組み立てた際に、その作動が重くなったり、あるいは回転運動が不可能になってしまったりすることも起こりえるので、目当て機構の調整で本来の目的を達成できないという問題点も内在していた。
【０００９】
本発明は、高精度で製造コストを低減することができる目当て環を、観測者の状況に合わせた好みの位置に確実に配置できるようにした双眼鏡の目当て機構を提供することを目的とする。
【課題を解決するための手段】
【００１０】
前述した目的を達成するために、本発明の双眼鏡の目当て機構は、左右の鏡筒の接眼側端部に接眼枠が設けられ、この接眼枠に筒状の固定筒枠が設けられ、この固定筒枠の外壁面にカムピンを突設するとともに、固定筒枠の外壁面に円周方向にリング状を呈する凹状の円周段溝を刻設し、
この円周段溝に、円周方向の一部が切除された略リング状の掛り止めワイヤーを固定筒枠の外壁面よりもわずかに突出する状態で収納し、
前記固定筒枠の外側面に、回転自在かつ光軸方向にスライド自在になるように目当て環を配設し、この目当て環の胴部にはガイド溝孔を貫通状に穿設し、このガイド溝孔内に前記カムピンの頭部を嵌め込み、さらに目当て環の内壁面にリング状を呈する円周溝を刻設し、
前記目当て環を光軸を中心にして回転させた際に、前記カムピンとガイド溝孔との案内により、目当て環が光軸方向にスライド移動して、前記掛り止めワイヤーと前記円周溝との対応位置が光軸方向に段階的に変化するように前記ガイド溝孔が形成されていることを特徴とする。
【００１１】
本発明の双眼鏡の目当て機構によれば、目当て環を光軸方向へスライドさせ、かつ光軸方向の所定位置に段階的に静止（固定）するように、目当て環の内周壁に円周段溝を刻設し、固定筒枠には円周段溝を刻設し、その円周段溝にリング状を呈する掛り止めワイヤーワイヤーを収納したので、目当て環を複数箇所に静止（固定）することができ、観測者の状況に合わせた位置に目当て環を確実に配置することが可能となる。
【発明の効果】
【００１２】
本発明に係る双眼鏡の目当て機構によれば、観測者の状況に合わせた好みの位置に、目当て環を配置することが可能になり、双眼鏡の使い勝手を一層高めるとともに、双眼鏡に複雑かつ高精度の加工をしなくてもよいためコスト削減を可能にし、製品を安価に提供できるという効果が得られる。
【発明を実施するための最良の形態】
【００１３】
以下、本発明に係る実施形態を図面に基づいて詳細に説明する。
図１は本発明に係る双眼鏡の目当て機構を備えた双眼鏡の斜視図、図２は同目当て機構を示す縦断面図、図３は同目当て機構の固定筒枠であって、（ａ）は側面図、（ｂ）は縦断面図、図４は同目当て機構の目当て環であって、（ａ）は平面図、（ｂ）は前図のＸ−Ｘ線断面図、（ｃ）は前図のＹ−Ｙ線断面図、図５及び図６は目当て環の位置を変動させた状態の動作説明図である。
【００１４】
図１に示す双眼鏡１０は、左右の鏡筒（以下、「ボディ」という）１１，１２の対物側端部に左右の対物枠１３，１４が設けられ、その内面側には対物レンズユニット１５，１６が設けられ、左右のボディ１１，１２の接眼側端部には左右の接眼枠１７，１８が設けられ、その内面側には接眼レンズユニット２４（図２に双眼鏡左側のユニットのみを示す）が設けられ、左右の接眼枠１７，１８には双眼鏡の目当て機構２０が設けられ、左右のボディ１１，１２間には、双眼鏡の焦点を調整するための視度ツマミ２１が設けられている。
【００１５】
本発明の双眼鏡の目当て機構２０は、左右の目当て手段２２，２３からなる。左右の目当て手段２２，２３は同じ構成なので、以下、双眼鏡の左側の目当て手段２２のみを説明して、右側の目当て手段２３の説明は省略する。
接眼レンズユニット２４は、３個の接眼レンズ２４Ａ，２４Ｂ，２４Ｃ群からなる。
【００１６】
図２に示すように、目当て手段２２は、接眼枠１７に筒状の固定筒枠２５が取り付けられており、この固定筒枠２５の外壁面にはカムピン２６が突設されるとともに凹状の円周段溝２７が刻設されており、この円周段溝２７には略リング状を呈する掛り止めワイヤー３１が、その一部が固定筒枠２５の外周壁面よりもわずかに突出する状態で収納されている。
【００１７】
一方この固定筒枠２５の外面側には、光軸２９を中心にして回転自在となり、かつ光軸２９方向にスライド自在となる目当て環２８が配設されており、この目当て環２８の内壁面には複数の円周溝３２ａ，３２ｂがリング状に刻設されており、この目当て環２８の胴部にはガイド溝孔３０が貫通状に穿設され、そのガイド溝孔３０には前記カムピン２６の頭部が嵌め込まれている（図３参照）。
【００１８】
前記した固定筒枠２５の外壁面に形成した凹状の円周段溝２７に収納される掛り止めワイヤー３１は、その円周方向の一部が切除されており、円周段溝２７より若干大きめに製造されているため、平時（自然状態時）は目当て環２８の内壁面に形成した円周溝３２ａ，３２ｂと固定筒枠２５の外壁面に形成した円周段溝２７との間で作られる空間に、掛り止めワイヤー３１が収納されるようになっている。
【００１９】
目当て環２８が、回転自在かつ光軸方向にスライド自在になるように固定筒枠２５に嵌合摺動されたとき、目当て環２８は回動しながら光軸方向にスライドするため円周段溝２７に収納された掛り止めワイヤー３１は収縮した状態で目当て環２８の内壁面を相対的に摺動し、目当て環２８の内壁面に刻設された円周溝３２ａ，３２ｂのひとつに対面した際にそこに収まり、ひとたび掛り止めワイヤー３１が円周溝３２ａ，３２ｂの何れかに収まると、その段階で収縮状態となっていた掛り止めワイヤー３１は、自ら保有するバネ力を開放しながら目当て環の円周溝３２ａ，３２ｂの何れかに広がる状態で収まり、目当て環２８のスライド方向の動きを抑制し、以後は通常の外部からの不意の押圧力では動かない状態となる。
【００２０】
図２、図３に示すように、固定筒枠２５にはカムピン２６が突設されており、目当て環２８の胴部に形成されたガイド溝孔３０（図３参照）にはこのカムピン２６が嵌め込まれているので、目当て環２８を回動させると、この目当て環２８は固定筒枠２５に沿って光軸方向にスライド移動することになる。
すなわち、このカムピン２６とガイド溝孔３０の係合状態による案内により、目当て環２８は回転しながらスライド方向に移動できるのである。
また目当て環２８は、弾性部材３３で覆われている。
【００２１】
図４に示すように、掛り止めワイヤー３１はその円周方向の一部が切除されて非連続のリング状になっており、自由状態では固定筒枠２５の外周壁の円周段溝２７よりも若干大きく製造されている。
この掛り止めワイヤー３１は、外部から圧縮力を加えられると掛り止めワイヤー３１のリング形を収縮変形させ、外部からの圧縮力を解放すると当初の掛り止めワイヤー３１のリング形の自由状態に戻るようになっている。
【００２２】
以下、図２〜図６に基づき双眼鏡の目当て機構２０の動作について説明する。
図２及び図４は、固定筒枠２５の外周壁の円周段溝２７に掛り止めワイヤー３１が収納されている状態を示す。
図２に示すように、目当て環２８は接眼レンズユニット２４に最も近づいた位置Ｐ１に静止されている。この状態において、カムピン２６はガイド溝孔３０の最先端位置（接眼レンズユニットに最も近い位置）に当接している。そのとき、目当て環２８をそれ以上に光軸２９を中心に矢印Ａ方向に回しても回すことはできず、また目当て環２８がＣ方向と反対の方向にスライドすることもなくＰ１位置で静止した状態に保たれる。このとき掛り止めワイヤー３１は、目当て環２８の内壁面と固定筒枠２５の外壁面の円周段溝２７との間で作られる空間に収納されており、円周溝３２ａ，３２ｂとは対面しない位置にある。
【００２３】
つぎに目当て環２８を矢印Ｂの方向に回転させると、目当て環２８は矢印Ｃ方向にスライドして（ガイド溝孔３０がカムピン２６に案内されるため）、目当て環２８は接眼レンズユニット２４の端縁から離れる方向に移動してＰ２の位置に到達する（図５参照）。
【００２４】
このとき目当て環２８のスライド移行に伴い、円周段溝２７もスライド移行するため掛り止めワイヤー３１のリング形には収縮方向の付勢力がかかり、その結果掛り止めワイヤー３１は収縮した状態となって目当て環２８の内周壁を摺動し、目当て環２８の内周壁に形成した円周溝３２ａ位置まで来ると自ら保有するバネ力で収縮状態を開放して円周溝３２ａに収まる状態となる。
このとき掛り止めワイヤー３１の太さと目当て環２８の円周溝３２ａの深さにより、掛り止めワイヤー３１はＰ２の位置で静止状態を保つ（図５参照）。
【００２５】
さらに目当て環２８を、光軸２９を中心に矢印Ｂ方向に回転させることにより、カムピン２６がガイド溝孔３０に案内されて矢印Ｃ方向に移動すると、再び掛り止めワイヤー３１は目当て環２８の内周壁の円周溝３２ａがスライド移動するため、掛り止めワイヤーのリング形に収縮方向の付勢力がかかり、目当て環２８の内周壁が掛り止めワイヤー３１のリング形の外周壁を摺動していく。
すなわち接眼レンズユニット２４（図２参照）に近づく方向に移動していく。
【００２６】
図６は、ガイド溝孔３０の反対側の終端位地（接眼レンズユニットから最も離れた位置）にカムピン２６が当接し、目当て環２８の内周壁の溝にリング状の掛り止めワイヤー３１のバネ力を開放しながら円周溝３２ｂに掛り止めワイヤー３１が落ち込み、そのワイヤーの太さと目当て環の円周溝の深さによって、Ｐ３の位置に静止した状態を示したものである。
【００２７】
以上説明したように、本発明の双眼鏡の目当て機構２０によれば、目当て環２８を回転させた際に、カムピン２６とガイド溝孔３０の案内により、目当て環２８を光軸２９方向にスライドさせ、かつ目当て環２８の内周壁に刻設した円周溝３２ａ，３２ｂに、掛り止めワイヤー３１を落とし込むことで、Ｐ１〜Ｐ３の複数箇所（３個所）で目当て環２８を静止させることを可能にし、観測者の状況に合わせた位置に、目当て環２８を確実に配置することができる。
【００２８】
なお、前記実施形態では、目当て環２８を位置Ｐ１〜Ｐ３の３個所に段階的に静止（固定）させる例について説明したが、段階的な静止は３段階に限られることはなく、例えば４段階などの複数の段階に静止させるように構成することも可能である。
【図面の簡単な説明】
【００２９】
【図１】本発明に係る双眼鏡の目当て機構を備えた双眼鏡の斜視図である。
【図２】同目当て機構を示す縦断面図である。
【図３】同目当て機構の固定筒枠であって、（ａ）は側面図、（ｂ）は縦断面図である。
【図４】同目当て機構の目当て環であって、（ａ）は平面図、（ｂ）は前図のＸ−Ｘ線断面図、（ｃ）は前図のＹ−Ｙ線断面図である。
【図５】本発明に係る双眼鏡の目当て機構の目当て環を位置Ｐ２に静止させた例を説明する図である。
【図６】本発明に係る双眼鏡の目当て機構の目当て環を位置Ｐ３に静止させた例を説明する図である。
【符号の説明】
【００３０】
１０  双眼鏡
１１  左鏡筒（左ボディ）
１２  右鏡筒（右ボディ）
１７、１８  接眼枠
２０  双眼鏡の目当て機構
２２  左側の目当て手段
２３  右側の目当て手段
２４  接眼レンズユニット
２５  固定筒枠
２６  カムピン
２７  円周段溝
２８  目当て環
２９  光軸
３０  ガイド溝孔
３１  掛り止めワイヤー
３２ａ  目当て環の内周壁に形成した円周溝１
３２ｂ  目当て環の内周壁に形成した円周溝２
３３  弾性部材
Ｐ１，Ｐ２，Ｐ３  目当て環の静止する位置
【図１】
0004440200.tif 000002
【図２】
0004440200.tif 000003
【図３】
0004440200.tif 000004
【図４】
0004440200.tif 000005
【図５】
0004440200.tif 000006
【図６】
0004440200.tif 000007